(57)【要約】      （修正有）【課題】複数の装飾体を中通し材で構成することにより、形状及び、色が変化するネックレス、ブレスレット、耳飾り等の装身具において、さりげなく形状及び、色の変化が楽しめ、長年の使用にも耐え得る、趣味性を向上させた高級装身具を提供する。【解決手段】中通し材５を通したパイプ材である内部体１と、内部体１と色が異なる内部体２に、内部体１、２より若干長い内部体２と色が同色のパイプ材である外部体３を通し、内部体１、２の両端に中通し材５を通す貫通孔を有した外部体３の内径より大きい外径の殻体４ａ、４ｂを用いて装身具用装飾体を構成した。【選択図】図４
0003101184.tif 000002
【実用新案登録請求の範囲】
【請求項１】
複数の装飾体を中通し材で構成することにより、色が変化するネックレス、ブレスレット、耳飾り等の装身具において、
（１）前記装飾体は、中通し材５を通したパイプ材である内部体１と、内部体２に該内部体１、２より若干長いパイプ材である外部体３を通した。
（２）前記内部体１、２の両端に中通し材５を通す貫通孔を有した前記外部体３の内径より大きい外径の殻体４ａ、４ｂを用いた。
（３）外部体３が前記内部体１、２上をスライド移動しても殻体４ａ、４ｂにより前記外部体３の抜け出しを防止した。
以上の構成からなることを特徴とした装身具用装飾体。
【請求項２】
内部体１と内部体２は、色及び、パイプ形状が異なり、内部体２と外部体３は色が同色であり、パイプ形状が同形状で有ることを特徴とした請求項１記載の装身具用装飾体。
【請求項３】
貫通孔を有する殻体４ａ、４ｂの換わりに真珠、貴石を用いたことを特徴とした 請求項１又は請求項２記載の装身具用装飾体。
【考案の詳細な説明】
【技術分野】
【０００１】
本考案は、装身具に用いた装飾体の動きにより、形状及び、色が変化するネックレス等の装身具に関するものである。
【背景技術】
【０００２】
色が変化するネックレス等の装身具において、温度変化によって色が変わるアクセサリが有り、方法として、アクセサリーの基体の表面に設けた熱変色層に真珠光沢顔料層を積層する方法で提案されている（例えば特許文献１参照。）。
【０００３】
また、半金属製装飾チェーン構成片の材質や色彩や模様を変えたものを用いて連続して編成したリバーシブル金属製装飾チェーンが有り、方法として（図７に示す）、前記金属製装飾チェーン構成片２０ａ、２０ｂは、中央にくびれ部２１と、その左右に対称に飾部２２と、該飾部に連結用長孔２３を設け、半金属製装飾チェーン構成片２０ａ、２０ｂを材質や色彩や模様を違えて形成し、これら異なる半金属製装飾チェーン構成片２０ａ、２０ｂ同士をくびれ部２１において接合した後、くびれ部２１の中間で折り曲げたものを多数、順次前記飾部２２に設けた連結用長孔２３に係合して構成した金属製装飾チェーン２４を裏返して使用することにより、色彩や模様を変えることができるリバーシブル金属製装飾チェーンが提案されている（例えば特許文献２参照。）。
【０００４】
しかし、温度変化によって色が変わる熱変色層を用いたアクセサリーは、長年の使用に際して、色あせする問題があり、高級装身具として用いるのに問題があった。
【０００５】
また、リバーシブル金属製装飾チェーンは、裏返しすることにより色や模様の変化が得られるが、着用中に色や模様を変えるには、装着し直さなければならない欠点があった。
【特許文献１】実開平５−４３９１０号公報
【特許文献２】実開平７−１８６１７号公報
【考案の開示】
【考案が解決しようとする課題】
【０００６】
解決しようとする問題点は、通常の着用時においても、さりげなく、形状及び、色の変化が楽しめ、長年の使用にも耐え得る趣味性を向上させた、色が変化する高級装身具を提供することを目的とした。
【課題を解決するための手段】
【０００７】
本考案は、中通し材５を通したパイプ材である内部体１と、該内部体１と色が異なる内部体２に、該内部体１、２より若干長い内部体２と色が同色のパイプ材である外部体３を通し、前記内部体１、２の両端に中通し材５を通す貫通孔を有した前記外部体３の内径より大きい外径の殻体４ａ、４ｂを用いて装身具用装飾体を構成し、前記殻体４ａ、４ｂにて外部体３の抜け出しを防止しすることで、着用時に外部体３が内部体１、２上をスライド移動することにより形状及び、色が変化することを特徴とする。
【考案の効果】
【０００８】
本考案の装身具用装飾体を用いた、例えば、ネックレスに於いて、着用中に前記ネックレスを周方向に移動させることで、外部体３が内部体１、２上をスライド移動、その移動により、形状の異なる内部体１及び色の異なる内部体２が見え隠れし、着用中に形状及び、色の変化を可能としたことで趣味性を一段と向上させることができた。
【考案を実施するための最良の形態】
【０００９】
以下、図面を用いて本考案の装身具用装飾体の組み立て工程と、該装身具用装飾体を用いてネックレス、ピアスを製作する実地形態を詳細に説明する。
【００１０】
図１は、本考案の請求項２に係わる装身具用装飾体の一実形態を示す各部品の正面図であって、図２は図１の部品を組み合わせて装身具用装飾体を構成したことを示す拡大正面図である。
【００１１】
図１（Ａ）の中通し材５（中通し材途中を表している）は、装身具用装飾体であるパイプ材に通して使用し、実施例として貴金属製の内部体１と、内部体２と、殻体４ａと、殻体４ｂの内径に貫通可能な環を連続編成した貴金属チェーンを用いた。
【００１２】
中通し材５に前記内部体、殻体を通す実施例手順として、図１（Ｆ）の殻体４ｂを最初に通し、図１（Ｄ）に示す内部体２を通し、前記内部体２と地金色及び、パイプ形状が異なる図１（Ｃ）に示す内部体１を通して、該内部体１、２より若干長い内部体２と地金色が同色、パイプ形状が同形状のパイプ材である図１（Ｅ）に示す外部体３を通した後、図１（Ｂ）に示す殻体４ａを通すことで図２に示した装身具用装飾体を構成した。
【００１３】
図４は、図２に示す装身具用装飾体の外部体３を内部体１、内部体２上を上下にスライド移動した状態を示し、図４（Ａ）は、内部体２と外部体３は地金色が同色であり、パイプ形状も同形状で有ることを示し、図４（Ｂ）は、内部体１と外部体３は地金色及び、パイプ形状が異なることを示す。
【００１４】
図５（Ａ）は、図２に示す装身具用装飾体の殻体４ａの数を減らして構成して、紐体と組み合わせてネックレスを形成した一実施例を示す概念図であり、前記装身具用装飾体５組を編成構成するために、中通し材５を適当な長さに切断し、該中通し材５に殻体４ｂ、内部体１、内部体２、外部体３の繰り返しの順序で通し、接続環７を介して、中通し材５と紐体６を接続してネックレスを構成した。
【００１５】
図５（Ｂ）は、前記ネックレスが周方向に移動することにより、外部体３がスライド移動し、内部体１が現れて、内部体１と外部体３の地金色及び、パイプ形状が異り（図４（Ｂ）に示す）、ネックレス着用時に色の変化、形状の変化が得られることを示す。
【００１６】
図６（Ａ）は、前記ネックレスと同じ方法を用いて装身具用装飾体を構成して、飾りパーツ１３、飾りパーツ１４と組み合わせたピアス用の下げ飾りの片方を示し、図６（Ｂ）は、図６（Ａ）の下げ飾りを上下逆にして使用することにより、前記ネックレスと同様に、外部体３がスライド移動し、内部体１が現れて、内部体１と外部体３の地金色及び、パイプ形状が異り（図４（Ｂ）に示す）、色の変化、形状の変化が得られることを示す。
【００１７】
本考案の実施形態は請求項２に基づき説明したが、使用者の好みによって、内部体、外部体の材質、色、形状を変えて装身具用装飾体を構成しても良い。また、内部体、外部体の交換が可能であり、前記内部体のパイプ材として、真珠、貴石を用いても良く、請求項３に記載した殻体の換わりに真珠、貴石を用いることにより、趣味性を従来の装身具より一段と向上させることができた。
【図面の簡単な説明】
【００１８】
【図１】本考案の請求項２記載の装身具用装飾体の一実形態を示す各部品の正面図である。
【図２】図１の部品を組み合わせて装身具用装飾体を構成した拡大正面である。
【図３】図２のＡ−Ａ線断面図である。
【図４】本考案の装身具用装飾体の外部体を上下にスライド移動した状態を示す概念図である。
【図５】本考案の装身具用装飾体を用いて、ネックレスを形成した一実施例を示す概念図である。
【図６】本考案の装身具用装飾体をピアス用の下げ飾りに用いた一実施例の概念図である。
【図７】従来の金属製装飾チェーン構成を示す概念図である。
【符号の説明】
【００１９】
１      内部体
２      内部体
３      外部体
４ａ    殻体
４ｂ    殻体
５      中通し材
６      紐体  
７      接続環
１１      ピアス針
１２      飾りパーツ
１３      飾りパーツ
１４      飾りパーツ
２０ａ    半金属製装飾チェーン構成片
２０ｂ    半金属製装飾チェーン構成片
２１      くびれ部
２２      飾部
２３      連結用長孔
２４      金属製装飾チェーン
【図１】
0003101184.tif 000003
【図２】
0003101184.tif 000004
【図３】
0003101184.tif 000005
【図４】
0003101184.tif 000006
【図５】
0003101184.tif 000007
【図６】
0003101184.tif 000008
【図７】
0003101184.tif 000009